(57)【要約】  保護用格子および保護用格子システム。本発明は、通路を少なくとも部分的に守る保護用格子システム（１）に関する。保護用格子（２）は、格子が通路を少なくとも部分的に封鎖できる延長状態から、通路の既に封鎖されている部分の少なくとも一部分の封鎖が解かれる収縮状態へと至るように配置される。保護用格子（２）は、それぞれのバー（４）を相互接続する複数の細長い接続部を用いて接続される、複数のバー（４）、好ましくはほぼ水平に延在するバー（４）を備える。保護用格子システム（１）は、好ましくは１つの次元でのみ撓ますことのできる、および／またはローラチェーンである、格子（２）に接続されたチェーンと、格子（２）をその延長状態からその収縮状態へと、またはその逆に移動させたときにリンクが移動する通常の経路から、チェーンの１つ以上のリンクがほぼ離れる方向で移動することを妨害するなど、例えば撓ますことのできる方向で、チェーンの移動を少なくとも局所的に制限する、少なくとも１つのチェーン制限部材（２８）とをさらに備える。【選択図】図７
2017514043.tif 000002
【特許請求の範囲】
【請求項１】
通路を少なくとも部分的に保護する保護用格子システムであって、
格子が前記通路を少なくとも部分的に封鎖できる延長状態から、前記通路において既に封鎖されている部分のうち、少なくとも一部分の封鎖が解放される収縮状態へと至るように配置される保護用格子と、
前記保護用格子に含まれ、複数の細長い接続部を用いて相互に接続され、好ましくは、ほぼ水平に延在する複数のバーと、
前記格子に接続され、前記保護用格子システムを、好ましくは、ひとつの次元でのみ撓ませる、および／または、ローラチェーンであるチェーンと、
前記チェーンの移動を少なくとも局所的に、例えば、撓ますことのできる方向に制限し、前記格子を前記延長状態から前記収縮状態へ、もしくは、この逆の状態へ変化させた際に、リンクが移動する通常の経路から、前記チェーンのひとつ以上のリンクがほぼ離れる方向へ移動することを妨害するチェーン制限部材と、
を備えることを特徴とする保護用格子システム。
【請求項２】
請求項１に記載の保護用格子システムであって、
通路を少なくとも部分的に守る保護用格子を備え、
前記保護用格子は、
格子が前記通路を少なくとも部分的に封鎖できる延長状態から、前記通路において、既に封鎖された部分のうち、少なくとも一部の封鎖が解放される収縮状態へと至らせるように配置され、
前記保護用格子は、
前記保護用格子システムにおいて、前記格子が、前記収縮状態の際には、ほぼ積み重ねることができ、前記延長状態の際には互いに対してほぼ離隔可能に配置される複数のバーと、
前記保護用格子が、前記延長状態の際に、２つの離隔したバーのうち、第１のバーおよび第２のバーを互いに対してさらにほぼ離隔することを妨害し、前記２つの離隔したバーをそれぞれ相互に接続するように、それぞれ配置される複数の細長い接続部と、
を備え、
前記バーのうち少なくとも第３のバーは前記第２のバーに隣接して設けられ、前記延長状態の際に、前記第１のバーおよび第２のバーを相互に接続するように、前記収縮状態の際に、前記第３のバーと前記第２のバーとが互いに隣り合って積み重ね可能なように、前記それぞれの接続部の一部を受け入れる穴が配置されることを特徴とする保護用格子システム。
【請求項３】
前記細長い接続部のうち、少なくとも第１の接続部は、前記保護用格子が前記延長状態の際に、前記第１および第２のバーを離隔可能な距離を制限するために、例えば、厚くなった、または、横方向に突出する部分を備える保持部、
を備えることを特徴とする請求項２に記載の保護用格子システム。
【請求項４】
前記第２のバーは、前記第１の接続部を貫通させ延在させるための穴、
を備えることを特徴とする請求項３に記載の保護用格子システム。
【請求項５】
前記保護用格子は、前記保持部が前記第２のバーの前記穴を貫通するのを防ぐように配置されることを特徴とする請求項４に記載の保護用格子システム。
【請求項６】
前記保護用格子は、前記保定部が、前記第３のバーに設けられた対応する前記穴の中へと移動する、および／または、前記穴を貫通して移動可能なように配置されることを特徴とする請求項３ないし請求項５のいずれか一項に記載の保護用格子システム。
【請求項７】
前記細長い接続部が、ピンもしくはペグであるか、または、ピンもしくはペグを備えることを特徴とする請求項２ないし請求項６のいずれか一項に記載の保護用格子システム。
【請求項８】
前記バーがほぼ水平に延在することを特徴とする請求項２ないし請求項７のいずれか一項に記載の保護用格子システム。
【請求項９】
前記細長い接続部が、前記バーをほぼ横切って延在する、および／または、垂直に延在することを特徴とする請求項２ないし請求項８のいずれか一項に記載の保護用格子システム。
【請求項１０】
前記第３のバーに隣接して設けられる前記バーのうち少なくとも第４のバーは、前記延長状態の際に、前記第１および第２のバーを相互に接続するように、前記収縮状態の際に、それぞれの前記接続部の一部を受け入れる穴が配置されることを特徴とする請求項２ないし請求項９のいずれか一項に記載の保護用格子システム。
【請求項１１】
前記収縮状態から前記延長状態へ、もしくは、その逆に移動するときに前記バーを誘導する、ならびに／あるいは、前記バーもしくは、少なくとも前記バーのそれぞれの部分が、前記バーが延在する方向をほぼ横断すること、前記バーが前記延長状態においてほぼ離隔される方向をほぼ横断すること、横断方向で移動することを妨害する、少なくとも１つのバーガイド、例えば、案内部材を備えることを特徴とする請求項２ないし請求項１０のいずれか一項に記載の保護用格子システム。
【請求項１２】
前記バーの少なくとも一部を移動させる、例えば、持ち上げる、移動部材、好ましくはケーブルまたはチェーンのような持上げ部材をさらに備えることを特徴とする請求項２ないし請求項１１のいずれか一項に記載の保護用格子システム。
【請求項１３】
前記移動部材が、チェーン、好ましくはローラチェーンであるか、または、それを備え、前記保護用格子システムが、前記格子を前記延長状態から前記収縮状態へ、もしくは、この逆の状態へ変化させた際に移動する通常の経路から、前記チェーンがほぼ離れる方向で移動することを妨害する、前記チェーンの移動を少なくとも局所的に、例えば、撓ますことのできる方向に制限する少なくとも１つのチェーン制限部材をさらに備えることを特徴とする請求項１２に記載の保護用格子システム。
【請求項１４】
請求項２ないし請求項１３のいずれか一項に記載の保護用格子システムにおいて使用される、保護用格子。
【発明の詳細な説明】
【技術分野】
【０００１】
本発明は、出入口または窓などの通路を少なくとも部分的に守る保護用格子を備える、保護用格子システムに関する。
【背景技術】
【０００２】
例えば店舗、事業所、倉庫、キッチン、学校、車庫などを保護する、ならびに／あるいは、例えばショッピングセンターまたは空港建物内で空間を区切るために、保護用格子システムを使用することが良く知られている。
【０００３】
通常、保護用格子システムはロールアップ式格子を備える。一般に、係る既知の格子は、２つの個々のバーをそれぞれ接続する枢動可能なペグによって、互いに枢動可能に接続された複数の水平バーを備える。前記ペグは、格子が延長状態の際には垂直に延在し、その状態において、格子は出入口または窓などの通路を少なくとも部分的に封鎖することができる。格子システムはまた、格子を巻き上げるとき、および／または、巻き出すときに水平バーの端部を垂直方向で案内する、２つの直立した案内部材を備える。さらに、前記既知の格子システムは、システムの上部に設けられた巻上げ軸を備える。格子を収縮し封鎖された通路を解放するために、ロールアップ式格子を前記巻上げ軸の周りに巻き上げることができる。一般的に、巻き上げられたロールアップ式格子は、約４０ｃｍまたはそれ以上の直径を有する場合がある。既知の格子システムにおける不利な点は、巻き上げられた格子、および／または、巻き上げられた格子を収容するハウジングが、例えば天井もしくはその付近で、比較的大きい空間を占有することがある点である。多くの場合、既存の建物において、ロールアップ式格子システムを所望の場所に設置するために利用可能な空間が十分ではないこともある。
【０００４】
さらに、例えば店舗フロアの角で、ほぼ互いに横断して延在する２つの交差する垂直面を格子が守ることができるような形で、２つのロールアップ式格子システムを設置する場合、前記２つのロールアップ式格子システムの巻上げ軸、巻き上げられた格子、および／または、格子のハウジングにより、前記２つの交差する垂直面の内側に面する面でそれらの巻上げ軸、および／または、格子のハウジングが固定されるようにして、両方の格子システムを位置させることができないように妨害されることがある。したがって、例えば、保護用格子システムは、それらの巻上げ軸、および／または、格子ハウジングを店舗、車庫などから外向きに延在させて設置される場合が多い。これは、美的でないと見なされることがあるだけではなく、いたずら、および／または、侵入の可能性を増大させることもある。
【０００５】
既知のロールアップ式格子のさらなる問題は、格子が巻上げ軸から巻き出されているときは格子のハウジング内に十分な空きスペースが存在するため、通路を封鎖している巻き出された格子が延長状態である際には、犯罪者が手で部分的に持ち上げられる点である。一部の既知の保護用格子システムでは、この問題は、底部位置にある格子の下部、例えば下側のバーを係止するために、ロックを設けることによって防止することができる。しかしながら、例えば、店員が、格子を係止しているロックを先に解除せずに格子を巻き上げるモータを始動させると、一般的に格子システムは動かなくなる。それ故、動かなくなった格子を修理するために修理員が必要なことがあるが、それには多くの時間が必要であり、および／または、多くの費用がかかるため、非常に望ましくない。
【０００６】
既知のロールアップ式格子システムのさらなる不利な点は、格子の幅が相対的に限定されることであり得るが、それは、比較的大きいロールアップ式格子が、比較的大きい、したがって比較的重い巻上げ軸、および／または、巻上げ軸を駆動するための比較的重いモータを要するためである。一般的に、約６〜７メートルの巻上げ軸は約１５０〜２００ｋｇの重量を有する。設置（または整備）の間、係る軸は、その位置で利用可能な空間が限定されているため、手で取扱うこと、および／または、持ち上げることが必要な場合が多い。このことは、危険な状況、および／または、背部損傷などの身体的問題に結びつくことがあり、ならびに／あるいは、労働法規の違反になることがある。したがって、巻上げ軸、および／または、モータ自体の重い重量が、既知の格子システムの不利な点を形成する恐れがある。
【０００７】
その上、比較的幅広のロールアップ式格子が比較的長い巻上げ軸を要することが、前記軸の撓みに結び付くことがある。
【発明の概要】
【発明が解決しようとする課題】
【０００８】
本開示の１つの目的は、代替の保護用格子システムを提供することである。本発明の１つの目的は、１つ以上の既知の保護用格子システムにおける、少なくとも１つの不利な点を軽減または解決することである。特に、本発明の１つの目的は、上述した不利な点の少なくとも１つを軽減または解決することであると見なすことができる。さらに、特には、本発明は、例えば収縮された保護用格子を格納するために必要な格納空間を限定することによって、必要とする空間が既知のロールアップ式格子システムよりも少ない、保護用格子システムを提供することを目的としてもよい。実施形態では、本発明は、比較的重い巻上げ軸を使用することなく、ならびに／あるいは、対応する巻上げ軸の撓みに対抗する、比較的幅広の保護用格子を提供することを目的とする。さらに、実施形態では、本発明は、封鎖されている通路を通って入ることができる程度まで、犯罪者によって保護用格子が持ち上げられないようにすることを目的としてもよい。
【課題を解決するための手段】
【０００９】
第１の態様では、本開示は保護用格子システムを提供し、システムは、通路を少なくとも部分的に保護する保護用格子を備え、保護用格子は、格子が通路を少なくとも部分的に封鎖することができる延長状態から、通路の既に封鎖されている部分のうち、少なくとも一部の封鎖が解放される収縮状態へと至るように配置され、保護用格子は複数のバーを備え、保護用格子システムは、格子が収縮状態の際には、バーを積み重ねることができ、延長状態の際には、互いに対してほぼ離隔させることができるように配置され、また、複数の細長い接続部を備え、それらはそれぞれ、それぞれの接続部が２つの離隔されたバーの第１のものおよび第２のものが、互いからほぼさらに離れるように移動することを妨害するような形で、保護用格子が延長状態の際には、前記２つのそれぞれ離隔されたバーを相互に接続するように配置され、第２のバーに隣接して設けられた、バーのうち少なくとも第３のものは、収縮状態では、第１および第２のバーが互いに隣り合って積み重ねられるように、延長状態では、第２および第３のバーを相互接続するように、それぞれの接続部の一部を受け入れるように配置された穴を備える。
【００１０】
格子が収縮状態において、延長状態の際に第１および第２のバーを相互に接続する接続部の一部を受け入れる穴を、第３のバーに設けることによって、第３のバーを第２のバーに向かって移動させるのが可能であることを、接続部が妨げるのに対抗することができる。したがって、格子が収縮状態の際に、前記バーを積み重ねるために、第３のバーを第２のバーに向かって移動させてもよい。結果として、本開示は、比較的簡潔な形で積み重ねることができる保護用格子を提供する。
【００１１】
さらに、格子が収縮状態の際には、保護用格子を簡潔な形で積み重ねることができるので、前記格子を比較的コンパクトな形で格納することができる。実際に、格納された保護用格子が占める体積は、同様の通路を守る従来のロールアップ式格子、例えば、同じ長さ、奥行き、および高さを有する同じ数のバーを有する従来のロールアップ式格子に比べて、最大９０％またはさらにそれ以上低減されることがある。
【００１２】
本発明の保護用格子システムは、巻き上げられた格子を格納する空間、および／または、格子ハウジングを収容する空間を要しないので、システムは限定された空間を有する位置に設置されてもよい。その上、巻き上げられた格子を格納するハウジングがないことによって美観を改善することができる。
【００１３】
実施形態では、第２のバーは、第１の接続部を貫通させ、延在させるための穴を備えることができる。その結果、格子システムは、第２のバーを第１のバーに対して第１の接続部に沿って移動させることができるように配置されてもよい。第２のバーの前記穴は、第１の細長い接続部が延在する方向で、第３のバーの穴とほぼ並んで離隔されてもよい。
【００１４】
細長い接続部の少なくとも第１のものに、好ましくは各接続部に、保護用格子が延長状態の際に、例えば厚くなった、または横方向に突出する部分を設けることによって、２つのそれぞれのバーを離隔可能な距離を制限する保持部を、比較的簡潔な形で、それぞれのバーが互いから遠く離れすぎることを妨害することができる。
【００１５】
実施形態では、保護用格子は、保持部が第２のバーの穴を貫通するのを防ぐようにして配置することができる。例えば、保持部は、第２のバーの穴よりも幅広であってもよく、および／または、深くてもよく、それによって保持部は、格子がその収縮状態からその延長状態へと移動するとき、第２のバーが接続部に沿って第１のバーから離れる方向で移動するとそれを捕えることができる。
【００１６】
さらに、保護用格子は、保持部が第３のバーに設けられた対応する穴の中へと移動する、および／または、その穴を貫通して移動することができるように配置されてもよい。つまり、第３のバーの穴は保持部よりも幅広であり、また深くてもよい。例えば、第３のバーの穴は第２のバーの穴よりも幅広であってもよく、および／または、深くてもよい。結果として、一方では、第２のバーが第１のバーから離れる方向で移動すると保持部が第２のバーを捕えることができ、他方では、第３のバーが第２のバーに向かって、および／または、そこから離れるように移動するときに、保持部が第３のバーを妨害しないようにしてもよい。
【００１７】
有利には、第３のバーに隣接して設けられる、バーのうち少なくとも第４のものは、収縮状態において、延長状態では第１および第２のバーを相互接続する、それぞれの接続部の一部を受け入れるように配置された穴を備えることができる。実施形態では、第１の接続部は、格子が延長状態の際に、複数の連続するバーの穴を通って延在することができる。例えば、接続部は、第２のバーに続く２〜１５本のバーの穴を通って延在することができる。したがって、接続部はバーの高さに対して相対的に長くてもよい。結果として、接続部は、収縮状態で比較的多数の積み重ねられたバーを通って延在することができ、第１および第２のバーは、格子が延長状態の際には、互いから比較的遠く離されてもよい。
【００１８】
有利には、保護用格子は、例えば案内部材によって形成された、および／または、システムのフレームのサイドピラーに形成された、収縮状態から延長状態に向かって、もしくはその逆に移動するときにバーを案内するための、ならびに／あるいは、バーもしくは少なくともそのそれぞれの部分を、バーが延在する方向をほぼ横断すること、また、バーが延長状態においてほぼ離隔される方向をほぼ横断すること、横断方向で移動させることを妨害するための、少なくとも１つのバーガイドをさらに備えてもよい。好ましくは、システムは、少なくとも２つのバーガイド、例えば案内部材を備えることができ、それらはそれぞれ、格子が延長状態の際には、格子の外側で延在するように提供されてもよい。実施形態では、案内部材は、格子によって封鎖される通路に取付け可能な比較的剛性のフレームの一部を形成してもよい。
【００１９】
格子のバーは積み重ねるか、または積み上げることができ、巻き上げる必要がないので、格子をその周りに巻き上げることができる巻上げ軸は不要である。比較的重い巻上げ軸を省略できるため、設置作業は比較的軽度であり得る。例えば、チェーンなどの持上げ部材が設置されて、例えば駆動されたスプロケットホイールを係合してもよいことに留意されたい。したがって、チェーン、例えばその末端部分は、例えば、バーおよび接続部の組み立て品としてほぼ形成することができる格子に接続されてもよく、好ましくは前記格子の下部に接続され、前記格子は、例えば、好ましくはそのバーがシステムの案内要素を既に係合している形で、地面に位置してもよい。その後、格子は、上部が、例えば上側のバーがその所望の位置に達するまで持ち上げられてもよい。その結果、格子の上部は、例えば天井、および／または、保護用格子システムのフレーム部分に取り付けることによって、前記位置で固定することができ、例えば固定的に接続することができる。したがって、システム自体は設置の間に格子を持ち上げることができるが、従来のロールアップ式格子は、ロールアップ式格子を設置する際に、釣上げツールを使用するために必要な利用可能な空間が十分にない場合が多いので、手で持ち上げる必要がある場合が多い。
【００２０】
本発明の格子および格子システムの他の有利な点は、バーを積み重ねるために要するエネルギーが少ないことであり得る。さらに、比較的小型の電動モータを使用することができる。したがって、設置が比較的容易であり得、モータが比較的安価、および／または、比較的小型であり得、後者はシステムの設計の美観にとって有益なことがある。
【００２１】
格子を巻き上げるための巻上げ軸の省略により、格子の幅は限定されないか、または保護用のロールアップ式格子ほどは限定されない。したがって、例えば約８または１０メートルを超える、例えば約２０、３０、または、さらには約５０メートルの通路が、中間のピラーまたは案内要素を必要とすることなく、単独で守られてもよい。
【００２２】
さらに、格子の頂部、例えば頂部のバーを複数の地点で、即ち巻上げ軸の場合のような端部以外でも固着することができるので、頂部、および／または、格子の撓みに比較的簡単に対抗することができる。
【００２３】
格子を巻上げ軸の周りに巻上げ可能にできるようにするために、バーがほぼ直線である必要がある、ロールアップ式格子システムとは対照的に、本発明の格子システムのバーは直線である必要はない。例えば、積み重ねたときに互いに向かってバーが移動する方向で見ると、本発明のシステムのバーは屈曲していてもよく、および／または、角張っていてもよく、例えば店舗フロアの角のエリアの外側角部にピラーを有さずに、例えばその角のエリアを比較的簡潔な形での遮蔽に利用するために、例えば、ほぼＣ字形またはＬ字形であることができる。
【００２４】
さらに、本開示はまた、上述の保護用格子システムの実施形態で使用される保護用格子に関する。
【００２５】
本開示はまた、通路を少なくとも部分的に保護する保護用格子システムを提供し、保護用格子は、格子が通路を少なくとも部分的に封鎖できる延長状態から、通路の既に封鎖されている部分のうち、少なくとも一部分の封鎖が解放される収縮状態へと至るように配置され、保護用格子は、それぞれのバーを相互接続する複数の細長い接続部を、例えばバーに設けられた穴の中へと収縮することができる接続部またはロールアップ式格子を形成するためにそれぞれのバーに枢動可能に接続することができる接続部を用いて接続された、複数のバーを、好ましくはほぼ水平に延在するバーを備え、保護用格子システムは、好ましくは１つの次元でのみ撓ますことができ、および／または、ローラチェーンである、格子に接続されたチェーンと、格子をその延長状態から収縮状態へと、またはその逆に移動させたときにリンクが移動する通常の経路から、チェーンの１つ以上のリンクがほぼ離れる方向で移動することを妨害するなど、例えば撓ますことのできる方向で、チェーンの移動を少なくとも局所的に制限する、少なくとも１つのチェーン制限部材と、をさらに備える。有利には、チェーン、特にチェーンの遠位端を、格子のバー、例えば遠位側のバー、特に下側のバーに、および／または、格子の遠位端、もしくは下端部分に接続することができる。例えば、チェーンのリンクの外側を、格子のバー、例えば下側のバーまたは底部の梁の遠位端面に接続することができる。それに加えて、または別の方法として、格子システムは、チェーン制限部材が、格子をその延長状態からその収縮状態へと至らせたときにバーが移動する誘導経路の少なくとも一部に沿って、チェーンの少なくとも一部の移動を制限することができるように配置されてもよい。例えば、チェーン制限部材は、保護用格子によって少なくとも部分的に封鎖されている通路の面に対して、少なくとも部分的に平行に延在してもよい。好ましくは、システムは、格子に接続された、例えば格子の外側にそれぞれ１つずつで２つのチェーンを備えてもよく、各チェーンはそれら自体のチェーン制限部材によって制限することができる。
【００２６】
チェーンがその通常の経路からほぼ離れる方向へ移動することを妨害するために、チェーンの移動を局所的に少なくとも制限することができる、チェーン制限部材を設けることによって、格子によって封鎖されている通路を通って入ることができる程度まで犯罪者が格子を持ち上げることができないような、格子システムを提供することができる。つまり、延長状態に位置する格子を持ち上げようとしたとき、格子が少量だけ持ち上がり、格子に接続されたチェーンの一部がそれに付随する。連結されたリンクを備える可撓性チェーンの性質により、チェーンはある程度座屈し、それによって、格子に接続されたリンクが長手方向で、および／または、格子に接続されたリンクの上方に位置するリンクの長手方向で傾くか、もしくは斜めになるため、チェーンのリンクの少なくとも１つの長手方向が、チェーンが移動する通常の経路の方向、または延長状態から収縮状態へ、もしくはその逆へと至らせるときのチェーン制限部材に沿った方向とほぼ並ばなくなる。結果として、傾いたまたは斜めになったリンクが、例えばチェーン制限部材内で、またはそれに沿って動かなくなる場合がある。結果として、動かなくなったリンクがさらに上方に移動することを妨害することができ、それにより、動かなくなったリンクに直接もしくは間接的に接続された格子部分がそれ以上ほぼ持ち上げられるのを妨害することができる。したがって、格子によって守られている通路を通って入ることができる程度まで犯罪者が保護用格子を持ち上げる可能性に、比較的簡単で簡潔な形で対抗することができる。
【００２７】
実施形態では、チェーン制限部材は、チェーンの第１の面、例えば前面に対して少なくとも部分的に平行に延在する第１のチェーン制限面と、チェーンの第２の面、例えば後面に対して少なくとも部分的に平行に延在する第２のチェーン制限面と、を備えることができる。例えば、チェーン制限部材は、例えばＵ字部材のＵ字の脚部として、前記第１および第２の案内面を備える部材として、例えばＵ字部材として形作ることができる。有利には、座屈しているチェーンの傾いたリンクが比較的簡単に積み重ねられることを促進するか、もしくは容易にすることができる、および／または、傾いたリンクがチェーン制限部材に沿って移動しないように対抗するのを促進することができるようにして、チェーン制限部材を配置することができる。例えば、チェーン制限部材の１つ以上のチェーン制限面は、比較的粗面もしくは非平坦であることができ、および／または、傾いたリンクをその陰で捕えることができる返しなどのバーとしての突出部を備えてもよい。
【００２８】
実施形態では、チェーン制限部材は、収縮状態から延長状態へもしくはその逆へと移動させるときにバーを案内するバーガイド内に、それに沿って、および／または、それと平行に設けることができる。
【００２９】
本開示の有利な実施形態について、以下に、また添付の特許請求の範囲に記載する。
【００３０】
単なる非限定例として、本開示の実施形態について添付図面を参照して以下に記載する。
【図面の簡単な説明】
【００３１】
【図１】（Ａ）は、格子が延長状態に位置する保護用格子システムの一実施形態を示す概略図である。（Ｂ）は、格子が収縮状態にある（Ａ）の保護用格子システムを示す概略図である。
【図２】（Ａ）は、延長状態にある本発明の１つの態様による保護用格子の一実施形態の一部を示す概略前面断面図である。（Ｂ）は、収縮状態にある（Ａ）の格子のより大きい部分を示す概略前面断面図である。
【図３】（Ａ）は、延長状態にある本発明の１つの態様による保護用格子の一実施形態の詳細を示す概略横断面図である。（Ｂ）は、収縮状態にある（Ａ）の格子の詳細を示す概略横断面図である。
【図４】本発明の１つの態様による保護用格子の連続するバーを示す概略上面図である。
【図５】本発明の１つの態様による保護用格子システムの詳細を示す概略上面断面図である。
【図６】本発明の１つの態様による保護用格子システムの詳細を示す概略上面斜視図である。
【図７】本発明の１つの態様による保護用格子システムの詳細を示す概略横断面図である。
【図８】（Ａ）は、格子が延長状態にある保護用格子システムの代替実施形態を示す概略図である。（Ｂ）は、格子が収縮状態にある（Ａ）の保護用格子システムを示す概略図である。
【発明を実施するための形態】
【００３２】
本明細書に開示する実施形態は、単なる例として示されるものであり、本発明または本開示の範囲をいかなる形でも制限するものとして理解されるべきでない。本明細書では、同じまたは類似の要素には、同じまたは類似の参照符号を付する。
【００３３】
図１（Ａ）および図１（Ｂ）は、通路３を少なくとも部分的に守るための、および／または、障壁を形成するための、保護用格子２を備える保護用格子システム１の一実施形態の概略斜視図を示す。図２（Ａ）および図２（Ｂ）は、本発明の１つの態様による、保護用格子２に対応する一実施形態の一部の概略前面断面図を示す。保護用格子２は、格子２によって通路３を少なくとも部分的に封鎖することができる延長状態２Ａから、通路３の既に封鎖されている部分のうち、少なくとも一部分の封鎖が解放される収縮状態２Ｂへと至るように配置される。例えば、前記通路３は、出入口もしくは窓またはその一部、ならびに／あるいは、格子によって少なくとも部分的に遮蔽される空間の境界の一部であってもよい。
【００３４】
保護用格子２は、複数のバー４、特にほぼ剛性のバーを備える。有利には、バーは互いに対してほぼ平行に延在することができ、例えば、垂直方向で互いに上下に設けられる。使用の際、バー４は、好ましくは、例えば図１（Ａ）および図１（Ｂ）で見ることができるように、ほぼ水平に延在することができる。通路３の封鎖を少なくとも部分的に解放するためには、実施形態では、図１（Ａ）および図１（Ｂ）で見ることができるように上方に、または、収縮状態２Ｂにある他の保護用格子システム１を示す図８（Ａ）および図８（Ｂ）で見ることができるように下方に、バー４の少なくとも一部を移動させてもよい。
【００３５】
保護用格子システム１は、格子２が収縮状態２Ｂの際には、バー４をほぼ積み重ねることができ、格子が延長状態２Ａの際には、互いに対してほぼ離隔させることができるように配置される。バーは、収縮状態２Ｂにおいて、好ましくは、積み重ねられた格子の高さを制限するため、図２（Ｂ）および図３（Ｂ）で見ることができるように、バーが互いに当接するような形で積み重ねられてもよいが、バーの少なくとも一部は、別の方法としてある程度離隔されてもよく、例えば、格子２が延長状態の際には、バーが離隔される距離８よりも短い距離８’で離隔されてもよい。
【００３６】
保護用格子２はまた、複数の細長い接続部５、特にほぼ剛性の要素５を備える。例えば、細長い接続部はピンもしくはペグを備えることができ、またはピンもしくはペグとして実質的に形作ることができる。
【００３７】
好ましくは、細長い接続部は互いに対してほぼ平行に延在してもよい。実施形態において、細長い接続部は、バーをほぼ横断して、および／または、ほぼ垂直に延在してもよい。
【００３８】
細長い接続部５は、それぞれ、２つの離隔されたバー４のうち、第１のバー４Ａおよび第２のバー４Ｂが、互いに対してさらにほぼ離隔することを、それぞれの接続部５が妨害するような形で、延長状態２Ａの保護用格子２において、２つのそれぞれ離隔されたバー４を相互に接続するように配置される。有利には、１つ以上の接続部５、例えば前記要素５の各接続部、または、少なくとも第１の接続部は、保護用格子２の延長状態２Ａにおいて、第１および第２のバー４Ａ、４Ｂを離隔可能な距離８を制限するための保持部７を備えてもよい。有利には、保護用格子２は、保持部７が第２のバー４Ｂの穴６Ｂを貫通することを防ぐことができるように配置することができる。例えば、保持部７は、厚くなった、もしくは、横方向に突出する部分であってもよく、またはそれを備えてもよい。格子２の延長状態では、保持部７は、第２のバー４Ｂと、例えば前記第２のバー４Ｂに設けられる対応する保持部９と、協働してもよい。前記対応する保持部９は、例えば、第２のバー４Ｂまたはその一部にある穴６Ｂの縁部によって形成されてもよく、厚くなった、もしくは、横方向に突出する部分７をその陰で捕えることができる。好ましくは、保持部７は接続部５の遠位端５’’またはその付近に位置することができる。それに加えて、または、その代わりに、保護用格子システム１の、例えば第２のバー４Ｂの穴６Ｂは、図３（Ａ）の例示的な実施形態において示されるように、例えば美観上の理由のために、延長状態２Ａにおいて、保持部７を（少なくとも部分的に）第２のバー４Ｂ内に受け入れることができるように配置することができる。
【００３９】
さらに、接続部５はまた、延長状態において、第１のバー４Ａに対して保定されてもよい。例えば、接続部５は、前記接続部５と協働する第１のバー４Ａを用いて、例えば、第１のバー４Ａが捕えることができる接続部５の厚くなった、もしくは、突出する部分を用いて、保持されてもよい。別の方法として、または、それに加えて、接続部５、例えばその近位端部分５’は、例えばねじ止め、溶接、接着、および／または、圧締めなどを用いて、第１のバー４Ａに接続され、特に固定的に取り付けられてもよい。
【００４０】
好ましくは、格子は、接続部が傾かないようにするように配置されてもよい。例えば、第１および／または第２のバーは、スリーブなどの案内、または、整列するための要素を備えてもよい。
【００４１】
図３（Ｂ）で最も良く分かるように、バー４のうち、第２のバー４Ｂに隣接して、好ましくは、第２のバーの第１のバーとは反対側に設けられる、少なくとも第３のバー４ｃは、収縮状態２Ｂにおいて、第２および第３のバーが互いに隣り合って、例えば互いの上方、および／または、頂部に積み重ねられるように、延長状態２Ａの際には、第１および第２のバー４Ａ、４Ｂを相互に接続する、それぞれの接続部５の一部を受け入れるように配置された穴６ｃを備える。有利には、保護用格子２は、保持部７が第３のバー４ｃに設けられた対応する穴６ｃに入ることができ、および／または、そこを貫通することができるように配置されてもよい。好ましくは、第３のバー４ｃは、第１の接続部５がそこを通って延在する穴６ｃ、例えば貫通穴を備えることができる。結果として、前記第３のバー４ｃは、収縮状態の際には、接続部５の一部を受け入れるように配置されてもよいだけではなく、接続部５が、対応する穴６ｄ〜６ｉが設けられた１つ以上の後続のバー４ｄ〜４ｉを同様に少なくとも部分的に通って延在してもよいようにすることによって、ならびに／あるいは、さらなるバー４ｊに設けられたさらなる穴６ｊの内部まで延在することができるようにすることによって、前記接続部５がその穴６ｃを通って延在できるように配置されてもよい。前記さらなる穴６ｊは、例えば、接続部の端部の少なくとも一部、例えば、その保持部７の一部が、それぞれのバー４ｊを完全に貫通できるように配置されることなく、その部分を受け入れるように配置されてもよい。この文脈では、バーのうち、第３のバーに隣接して設けられる少なくとも第４のもの、および、好ましくは、１つ以上の後続のバー４ｅ〜４ｊは、延長状態２Ａの際には第１および第２のバー４Ａ、４Ｂを相互に接続し、収縮状態２Ｂの際には、それぞれの接続部５の一部を受け入れるように配置されるそれぞれの穴６ｄ、６ｅ〜６ｊを備えることができることに言及した。好ましくは、第２のバー４Ｂの穴６Ｂは、第１の細長い接続部５が延在する方向で、第３のバー４ｃの穴６ｃと、また任意のさらなる対応する穴６ｄ〜６ｊとほぼ並んで位置することができ、それによって、収縮状態の際に、接続部５が前記穴を通って延在することを容易にすることができる。
【００４２】
少なくとも第３のバー４ｃは、接続部５を少なくとも部分的に受け入れる穴６ｃを備えるが、少なくとも第４のバー４ｄも、第２のバー４Ｂおよび第３のバー４ｃを接続する接続部５Ｂの一部を受け入れる穴６ｄを備えてもよいことに留意されたい。さらに、１つ以上のさらなるバーもまた、それぞれのさらなるバーに隣接した２つのそれぞれのバーを接続する、さらなる接続部の一部を受け入れるための、それぞれのさらなる穴６を備えてもよい。
【００４３】
実施形態では、それぞれの接続部５は、収縮状態２Ｂにおいて第２のバー４Ｂに続く２〜１５本のバー４ｃ〜４ｊ、例えば８、９、または１０本のバーなど、約５〜１２本のバーにある、穴６ｃ〜６ｊを通って延在することができる。したがって、接続部５はバーの高さ１４に対して相対的に長くてもよい。例えば、第１の接続部５が、図３（Ｂ）に示されるように、第１のバー４Ａから９本の後続のバー４Ｂ〜４ｊ内へと延在しているとき、前記９本のバーを収縮して（図３（Ｂ）に示されるように）積み重ねることができ、前記９本の積み重ねられたバーが延在する高さは、格子の延長状態において分散される高さの約１／９である。
【００４４】
例えば図２（Ａ）および図２（Ｂ）で見ることができるように、２つの後続のバー４Ａ、４Ｂは、バーの長さ方向１２で離隔されてもよい、それらを接続する複数の接続部５Ａを用いて接続することができる。例えば、同じ２つのバーを接続する２つの離隔した要素は、約２０〜５０ｃｍ、例えば約３０ｃｍ離隔されてもよい。これらのバーのうち１つ４Ｂを後続のバー４ｃと接続する１つ以上のさらなる接続部５Ｂは、第１の接続部５からずれた位置に、特に、バーの前記長さ方向１２にずらして位置することができる。例えば、第２の接続部５Ｂは、第１の接続部５Ａから相対的に遠くにずらすことができ、一方で第３の接続部５ｃは（長さ方向１２で見て）第１の要素５Ａから相対的に近くに位置することができる。奇数番号の接続部５Ａ、５ｃ、５ｅ、５ｇ、５ｉを互いに対して相対的に近くに位置させ、偶数番号の接続部５Ｂ、５ｄ、５ｆ、５ｈ、５ｊをそこから相対的に遠くに、ただし互いに対して相対的に近くに位置させることによって、図１（Ａ）、図２（Ａ）、および図８（Ａ）に示されるものなど、ほぼ互い違いのパターンが形成されてもよい。より多数のバーが必要であるか、または、望ましい場合、追加の接続部が、例えば上述の５Ａ〜５ｊの接続部が設けられてもよく、追加の接続部５Ａ’、５ｃ’の類似パターンを位置させることができることは明白である。
【００４５】
図２（Ａ）および図２（Ｂ）でさらに見ることができるように、格子２の下部４ｋは、比較的高いバー４ｋまたは下側の梁を備えてもよい。好ましくは、前記下側のバーもしくは梁４ｋ、および／または、そこに設けられた穴６は、その上に位置する隣接したバー４ｊから延在する接続部５ｊの下部全体をほぼ収容するのに十分な高さを有することができる。それに加えて、前記下側のバーまたは梁４ｋは、前記下側のバー４ｋに隣接した前記バー４ｊの下方に延在する、それよりも高いところに位置する接続部５Ｂ〜５ｊ全ての部分を実質的に収容するように配置されてもよい。
【００４６】
比較的高さがある下側のバーまたは梁４ｋは比較的重く、それによって格子の下降が容易になるという利点を有してもよい。それに加えて、またはその代わりに、例えば下側のバー４ｋに、追加の重量が提供されてもよい。さらに、下側のバー４ｋ、例えばその底面は、そのストラップなど、下側のバーが地面に当たるときの力の一部を吸収する、例えばゴムまたはゴム様の材料で作られた、１つ以上の圧縮可能な要素を備えてもよいことに留意されたい。
【００４７】
バーは、金属または合金、例えば鋼、および／または、アルミニウム合金を含んでもよい。例えば、バーは、格子２の詳細の概略横断面図を示す図３（Ａ）および図３（Ｂ）で見ることができるような、押出し部材を備えてもよい。別の方法として、またはそれに加えて、バーの１つ以上は他の材料を含んでもよい。例えば、バーは、例えば金属で作られた、ほぼ剛性のコア、および／または、補強要素と、例えば美観上の理由で、例えばプラスチックまたは木材材料を含む、別の材料で作られたカバーとを備えてもよい。
【００４８】
ここで、バー４はほぼ長方形の梁４として形作られる。しかしながら、他の実施形態では、１つ以上のバーは異なる形状を有してもよい。例えば、バー４は円形またはロッド状の形状を有してもよい。また、一部のバーは他のバーとは異なる設計のものであってもよいことに留意されたい。例えば、バーの１つ以上、好ましくは、ほぼ車の前面に相当する高さに位置する１つまたは複数のバーは、車で店舗に突っ込むことによる強奪に対抗するために補強されてもよく、および／または、バンパーもしくはフェンダーを備えてもよい。
【００４９】
実施形態では、保護用格子システム１は、格子システムのフレームの一部、例えば前記フレームのサイドピラーであってもよく、および／または、それに取り付けられてもよい少なくとも１つのバーガイド１０、例えばガイド部材１０をさらに備えてもよい。前記バーガイド、および／または、サイドピラーは、例えば、金属、例えば鋼もしくはアルミニウム合金、および／またはプラスチック材料で作られてもよく、ならびに／あるいは、それを含んでもよい。バーガイド１０は、その例示的な実施形態を例えば図１（Ａ）、図１（Ｂ）、図５、および図６で見ることができるが、収縮状態２Ｂから延長状態２Ａに向かって、またはその逆に移動するとき、バー４を案内するように配置されてもよく、および／または、そのように意図されてもよい。例えば、バーガイド１０は、好ましくはバー４の前面４０、および／または、後面４１に部分的に沿って延在する、１つ以上のバー案内面１０Ａを備えてもよい。それに加えて、またはその代わりに、バーガイド１０は、バー４、もしくは、少なくともそのそれぞれの一部が、バー４が延在する方向１２をほぼ横断するとともに、延長状態においてバー４が離隔される方向１３をほぼ横断する横断方向１１で、移動することを妨害するように配置されてもよく、および／または、そのように意図されてもよい。したがって、犯罪者によって格子２が延長されるのを前記横断方向１１で押したり引いたりして離し、防ぐことができる。
【００５０】
図１（Ａ）および図１（Ｂ）の例示的な実施形態で見ることができるように、第１のバーガイド１０はバー４の第１の末端部分４’またはその付近に位置することができる。追加の第２のバーガイド１０は、バーの第２の末端部分４’’またはその近くに位置することができる。
【００５１】
別の方法として、またはそれに加えて、図５に示されるように、バー４の対応する整列された穴１６を通って延在するバーガイド１０Ｂ、例えばほぼロッド形状のガイド１０Ｂが設けられてもよい。かかるバーガイド１０Ｂの利点は、バーを曲げる傾向がある力および／またはバー４が延在する方向でバーを引っ張る傾向がある力を前記バーが受けた結果として、バー４の末端部分４’、４’’が押したり引いたりされてそれらの位置を外れる、例えばガイド部材１０が外れるのを妨害することができる点であってもよい。
【００５２】
別の方法として、またはそれに加えて、バーの１つ以上は、前方または後方に突出する突出部１７を備えてもよく、それらは、バーの末端部分４’、４’’が引っ張られてその位置を外れる、例えばガイド部材１０を外れる可能性に対抗する、バー制限手段１８と協働してもよい。
【００５３】
実施形態では、保護用格子システム１は、バー４の少なくとも一部を移動させる１つ以上の移動部材、例えばケーブルまたはチェーンをさらに備えることができる。好ましくは、前記移動部材は、バー４の少なくとも一部を持ち上げるかまたは釣り上げる、持上げ部材またはいわゆる釣上げ部材であってもよい。有利には、持上げ部材、特にその遠位端部分は、延長状態において格子の格納位置から最も離れて位置する、格子の一部に取り付けることができる。
【００５４】
さらに、持上げ部材は、格子システム１の側縁部またはその付近に設けることができることに留意されたい。有利には、２つの側縁部に持上げ部材を、好ましくは協働する持上げ部材を設けることができる。したがって、バーの緩みに対抗することができる。
【００５５】
システム１が、例えば、図１（Ａ）および図１（Ｂ）の実施形態と同様に、格子システム１の頂部部分またはその付近でバー４を格納するように配置されている場合、持上げ部材１９は、格子の下部に、例えば下側のバーに取り付けられてもよい。さらに、格子の頂部、例えば頂部のバーは、例えば、頂部の部分もしくはバーを案内部材の上部に固着することによって、および／または、前記頂部の部分もしくはバーを、システムが設置されるそれぞれの建物に、例えばその天井に固着することによって、格子システムの頂部部分に固定されてもよい。格子２の収縮状態では、持上げ部材１９は、格子の前記下部が下方へと移動できないようにして固定されてもよい。持上げ部材１９を繰り出すとき、下部、例えば下側のバーが、例えば重力の作用を受けて、下方へと移動することがある。例えば、固定された頂部のバー４Ａを除いて、下部の上方に設けられたバーは、末端から２つ目のバー４Ｂが第１の接続部５によってそれ以上は下方へと移動しないように拘束されるまで、同様に下方へと移動することがある。下部をさらに繰り出すと、第３のバー４ｃが、第２および第３のバー４Ｂ、４ｃの間の距離を制限する第２の接続部５によってそれ以上移動しないように停止されるまで、また下部、例えば下側のバーがその下方位置にあり、格子がその収縮状態に置かれるまで、他のバーは下に移動し続けることができる。格子を延長状態から収縮状態に向かって戻すために、持上げ部材を上昇させ、それによって下部を、例えば下側のバーを上方に持ち上げることができ、その下部は続いて、例えば頂部のバーと下部との間に位置するバーが互いに積み重ねられ、および／または、下部が上方へとそれ以上移動するのを防ぐまで、それよりも上方に置かれたバーを同様に押し上げてもよい。
【００５６】
例えば図８（Ａ）および図８（Ｂ）の実施形態などの他の実施形態では、システム１は、保護用格子システム１の底部部分またはその付近でバー４を格納するように配置することができる。次に、持上げ部材１９は、格子の頂部に、例えば頂部のバーに取り付けられてもよい。有利には、格子の下部、例えばその下側のバーは、格子システムの底部部分またはその付近で固定することができる。持上げ部材が頂部のバーを持ち上げると、第１の細長い接続部５によってさらなる分離が制限されるまで、頂部のバー４Ａをそれに続くバー４Ｂから離れるように移動させることができ、第１の細長い接続部５によって前記後続のバーが第１のバーとともに上方へと移動する。同様の細長い接続部５を、延長状態において第２のバー４Ｂを第３のバー４ｃと接続するために設けることができるので、前記第２の接続部によって、第２のバーが次に第３のバーを上方へと引っ張ることができる。第２および第３のバーの間の距離を制限するさらなる接続部によって、第２および第３のバーの間の距離がその最大値に達すると、第３のバーを上方へと引っ張ることができる。格子の頂部、例えば頂部のバーがその頂部位置に達するまで、および／または、すべてのバーとそれらに隣接したバーとの間の離隔が最大限になるまで、他のバーを同様に上方へと引っ張ることができる。通路３の封鎖を解くために、持上げ部材１９は、格子の頂部を下に下げるために繰り出されてもよく、それによって格子を折り畳むことができる。
【００５７】
有利には、移動部材、例えば持上げ部材１９は、相互接続された一連のリンクを備えることができる、チェーン１９であるか、またはそれを備える。好ましくは、チェーンは一方向でのみ可撓性であり、および／または、チェーンはローラチェーン１９である。好ましくは、チェーン、例えば最後のリンクなど、そのそれぞれのリンクは、特にほぼ枢動可能な形で、格子に、例えば下側、もしくは頂部のバーなど、格子のそれぞれのバーに接続することができる。
【００５８】
チェーン１９はローラチェーンであることができる。記載したように、格子の２つの側縁部は両方とも、それぞれの持上げ部材、例えばチェーンを備えることができる。例えば、各チェーンは、保護用格子システム１の詳細の概略横断面図を示す図７の例示的な実施形態において示されるように、それぞれの駆動用のスプロケットホイール２５を係合する。両方のスプロケットホイール２５は、共通の軸２７に装着されてもよく、および／または、ほぼ中空のチューブとして形成されてもよい前記共通の軸２７内に設けられる管状のモータなど、単一のモータ、好ましくは電動モータによって駆動されてもよい。しかしながら、システム１は、別の方法として、またはそれに加えて、別のタイプのモータを備えてもよく、ならびに／あるいは、例えば取外し可能なクランクハンドルを用いて、格子を手動で持ち上げる、および／または、繰り出す手段を備えてもよい。
【００５９】
図７で見ることができるように、システムは、チェーンを拘束し、それぞれの駆動されたスプロケットホイール２５と係脱される可能性に対抗する、制限部材２８を備えてもよい。例えば、制限部材２８は、スプロケットホイールを係合するチェーンと対応する境界を有する穴、例えば陥凹部または貫通穴を有する、プレートの一部によって形成されてもよい。
【００６０】
さらに、保護用格子システム１は、格子２をその延長状態２Ａからその収縮状態２Ｂへと、またはその逆に移動させたときにチェーンが移動する通常の経路２１からほぼ離れる方向でチェーンが移動することを妨害するなど、チェーン１９の移動を少なくとも局所的に、例えばそれを撓ますことのできる方向に制限する、少なくとも１つのチェーン制限部材２０を備えることができる。例えば、チェーン制限部材２０は、保護用格子によって少なくとも部分的に封鎖される通路３の面に対して、少なくとも部分的に平行に延在してもよい。実施形態では、チェーン制限部材は、バーを案内するバーガイド内に、それに沿って、および／または、それと平行に設けることができる。有利には、チェーン制限部材２０は、例えばチェーンチャネルを間に画成する、２つのチェーン制限面２０Ａおよび２０Ｂを備えることができる。例えば、第１のチェーン制限面２０Ａは、チェーン１９の第１の面１９Ａ、例えば前面１９Ａに対して少なくとも部分的に平行に延在することができ、第２のチェーン制限面２０Ｂは、チェーン１９の第２の面１９Ｂ、例えば後面１９Ｂに対して少なくとも部分的に平行に延在する。好ましくは、システムが格子をその収縮状態からその延長状態へと、またはその逆に移動させたとき、例えばチェーンが、例えば少なくとも部分的に重力によって、ほぼ張力下にあるとき、および／または、伸長しているとき、チェーンが前記表面の間で上方および下方に移動できる程度まで、第１および第２のチェーン制限面を互いから離隔させるか、または、ずらすことができる。他方で、第１および第２のチェーン制限面２０Ａ、２０Ｂの間の隙間またはオフセット距離２４は、傾いたリンクを前記表面２０Ａ、２０Ｂの間で積み重ねることができるのを容易にすることができる程度まで、制限することができる。例えば、オフセット距離２４はリンクの深さ２２よりも長いことが可能であり、好ましくは少なくとも５％長く、より好ましくは少なくとも１０％長く、一方で前記オフセット距離２４は、チェーンのリンクの高さ２３またはいわゆる長さ２３よりも短いことが可能であり、好ましくは少なくとも１０％短く、より好ましくは少なくとも２０％短い。
【００６１】
チェーン制限部材２０は、前記第１、および／または、第２のチェーン制限面２０Ａ、２０Ｂを、例えばＵ字部材のＵ字の脚部として備える部材、例えばＵ字部材、および／または、押出し部材として形作ることができる。有利には、座屈しているチェーンの傾いたリンクが積み重ねられるのを容易にするか、もしくは、促進することができる、および／または、傾いたリンクがチェーン位置決め部材に沿って移動しないように対抗するのを容易にするか、もしくは促進することができるようにして、チェーン制限部材２０を配置することができる。例えば、チェーン位置決め部材の１つ以上の案内面は比較的粗面もしくは非平坦であることができ、および／または、返しなどの突出部を備えてもよい。
【００６２】
好ましくは、駆動されたスプロケットホイール２５およびチェーン制限部材２０は、チェーン１９の格子に接続されスプロケットホイールから垂れている部分が、第１、および／または、第２のチェーン制限面２０Ａ、２０Ｂの間で直線移動できるようにして位置付けることができる。あるいは、例えば図７に示される実施形態など、チェーンが直線移動して、第１、および／または、第２のチェーン制限面２０Ａ、２０Ｂの間の溝に入り、および／または、そこから出ることを容易にするために、例えば駆動されていないスプロケットホイール２６によって形成される、追加のチェーンガイドを設けることができる。
【００６３】
チェーンは２つの端部を有し得ることに留意されたい。例えば、第１の末端部分は格子の下部に取り付けられ、前記末端部分は使用中、チェーン制限面２０Ａ、２０Ｂの間を移動する。好ましくは、チェーンは、格子がその延長状態のときに第１の末端部分がその下側位置にあるとき、チェーンが駆動されたスプロケットホイールと係合されたままであるような長さのものである。駆動されたスプロケットホイール２５の後側で下方に垂れていてもよいチェーンの第２の末端部分１９’’は、チェーンの第１の末端部分が上方に引っ張られると、例えば重力によって、下方へと移動してもよい。例えば、システムは、チェーンの前記部分を案内する案内手段を備えてもよい。さらに、第２の末端部分は、チェーンの前記部分に張力をかけるために、重りを備えてもよい。
【００６４】
チェーン制限部材２０は、ここでは、積み重ね可能なバー４と、そのバーの１つ以上に少なくとも部分的に収縮することができる接続部とを備え、折畳み可能なガイド格子２を有する格子システムの文脈で記載されているが、チェーン制限部材２０はまた、有利には、例えばロールアップ式格子など、他の保護用格子とともに適用できることは、当業者にとっては明白である。そのような例において、他の保護用格子は、例えば、好ましくはチェーンを、格子の下側のバーなど、下部に接続することによって、特に端部で格子に接続することができる、チェーンを備えることができる。係るチェーンは、格子のバーを持ち上げるのに利用する必要がないことに留意されたい。例えば、係る他の格子は、分離して持ち上げることができ、および／または、代替の持上げ手段であることができる。例えば、格子がロールアップ式格子であるとき、それを巻上げ軸の周りに巻き上げることによって持ち上げられてもよい。さらに、チェーンと噛合する歯スプロケットが、例えば、ロールアップ式格子の場合は巻上げ軸と並んで、それに接続されて設けられてもよい。したがって、ロールアップ式格子が巻き出されるか、または巻き上げられると、チェーンを、チェーン制限部材を通して、および／または、それに沿って移動させることができる。好ましくは、格子システムは、駆動されていないスプロケットホイールなど、チェーンの前面１９Ａまたは後面１９Ｂに向かって付勢されてもよい、チェーン張力付与手段をさらに備えることができる。
【００６５】
本発明は、いかなる形でも、上述した、および／または、図面に描いた例示的な実施形態に限定されない。
【００６６】
例えば、記載、および／または、図示した実施形態（の一部）の組み合わせはすべて、本発明の概念の範囲内にあるものと理解される。多くの変形が可能であることが理解されるであろう。
【００６７】
さらに、バーの穴は、ここでは丸い穴として描かれているが、穴は代替の形態を有してもよく、および／または、それぞれのバーの前面または後面から延在する陥凹部として形成されてもよいことに留意されたい。
【００６８】
別の例として、システムは、例えば、人が怪我をすること、および／または、物品もしくは格子システムが損傷することを防ぐためなど、格子またはそのバーの１つが上下に移動する途中に何かがあることを検出するための１つ以上の安全装置、および／または、センサを備えてもよい。
【００６９】
これらおよび他の実施形態は、当業者には明白となり、以下の特許請求の範囲で述べられるような本発明の範囲内にあるものと見なされる。
【図１】
2017514043.tif 000003
【図２】
2017514043.tif 000004
【図３】
2017514043.tif 000005
【図４】
2017514043.tif 000006
【図５】
2017514043.tif 000007
【図６】
2017514043.tif 000008
【図７】
2017514043.tif 000009
【図８】
2017514043.tif 000010
【国際調査報告】
2017514043.tif 000011
2017514043.tif 000012